(57)【要約】基板（１）と、前記基板上に積層されており、情報を記録可能な記録層（２）と、前記基板上に積層されたカラーフィルタ（４）と、前記基板上に積層されており、光照射に伴う熱により光反射率が変化可能であると共に前記基板の一方の面側から入射する可視光を、前記カラーフィルタを介して反射する熱反射率変化層（３）とを備える。これにより、例えば光照射によって表面にレーベルを描画可能なＤＶＤ、ＢＤ等の光ディスクなどの、情報記録媒体において、高精度でカラー描画或いはカラーでレーベル描画する。
2008120324.tif 000002
【特許請求の範囲】
【請求項１】
基板と、
前記基板上に積層されており、情報を記録可能な記録層と、
前記基板上に積層されたカラーフィルタと、
前記基板上に積層されており、光照射に伴う熱により光反射率が変化可能であると共に前記基板の一方の面側から入射する可視光を、前記カラーフィルタを介して反射する熱反射率変化層と
を備えたことを特徴とする情報記録媒体。
【請求項２】
前記熱反射率変化層及び前記カラーフィルタは、この順に前記基板の一方の面側に積層されており、
前記カラーフィルタ上に積層された保護膜を更に備えることを特徴とする請求項１に記載の情報記録媒体。
【請求項３】
基板と、
前記基板上に積層されており、情報を記録可能な記録層と、
前記基板上に積層されたカラーフィルタと、
前記基板上に積層されており、光照射に伴う熱により光透過率が変化可能である熱透過率変化層と、
前記基板上に積層されており、前記基板の一方の面側から入射する可視光を、前記熱透過率変化層及び前記カラーフィルタを介して反射する反射層と
を備えたことを特徴とする情報記録媒体。
【請求項４】
前記反射層、前記カラーフィルタ及び前記熱透過率変化層は、この順に前記基板の一方の面側に積層されており、
前記熱透過率変化層上に積層された保護膜を更に備えることを特徴とする請求項３に記載の情報記録媒体。
【請求項５】
前記カラーフィルタは、色別に区画された複数のセルから構成されており、
前記複数のセルの各々に対して、一又は複数のアドレスが割り振られている
ことを特徴とする請求項１に記載の情報記録媒体。
【請求項６】
前記基板は、ディスク状であり、
前記基板上には、前記光照射を導くためのガイドトラックが、螺旋状又は同心円状に形成されている
ことを特徴とする請求項１に記載の情報記録媒体。
【請求項７】
前記カラーフィルタは、色別に区画された複数のセルから構成されており、
前記複数のセルの各々に対して割り振られている一又は複数のアドレスを示すアドレスピットが、前記ガイドトラックにＣＬＶ方式で形成されている
ことを特徴とする請求項６に記載の情報記録媒体。
【請求項８】
前記カラーフィルタは、前記螺旋状又は同心円状に同一色が並ぶように配列されていることを特徴とする請求項６に記載の情報記録媒体。
【請求項９】
前記カラーフィルタは、色別に区画された複数のセルから構成されており、
前記複数のセルの各々に対して、一又は複数のアドレスが割り振られており、
前記カラーフィルタ及び前記ガイドトラックは、前記セルの区切りと前記ガイドトラックの半径方向の位置とが一致するように、形成されていることを特徴とする請求項６に記載の情報記録媒体。
【請求項１０】
前記基板は、ディスク状であり、
前記基板上には、前記光照射を導くためのガイドトラックが、螺旋状又は同心円状に形成されており、
前記カラーフィルタは、色別に区画された複数のセルから構成されており、
前記複数のセルの各々に対して、一又は複数のアドレスが割り振られており、
前記セルの区切りと前記ガイドトラックの半径方向の位置との関係を示す関係情報が前記記録層若しくは他の記録層に又は所定種類の記録方法で記録されていることを特徴とする請求項１に記載の情報記録媒体。
【請求項１１】
前記カラーフィルタは、直線状に配列されていることを特徴とする請求項１０に記載の情報記録媒体。
【請求項１２】
前記カラーフィルタは、印刷により形成されており、
前記基板上には、前記光照射を導くためのガイドトラックが、前記カラーフィルタが有する連続した立体形状により構成されている
ことを特徴とする請求項１に記載の情報記録媒体。
【請求項１３】
前記基板上には、前記光照射を導くためのガイドトラックが、前記可視光以外の光を前記可視光と比べて、より高い光反射率で反射する又はより高い光吸収率で吸収する材料を含んで構成されていることを特徴とする請求項１に記載の情報記録媒体。
【発明の詳細な説明】
【技術分野】
【０００１】
本発明は、例えば光照射によって表面にレーベルを描画可能なＤＶＤ、ＢＤ（Ｂｌｕｅ  ｒａｙ  Ｄｉｓｃ）等の光ディスクなどの、情報記録媒体の技術分野に関する。
【背景技術】
【０００２】
この種の情報記録媒体では、例えばデジタルテレビ放送の録画やＤＶＤのダビングなど、光ディスクなどの情報記録媒体に対して記録を行う際に、タイトルなどの記録される内容を示す文字が描画されるように構成されたものがある。例えば、情報を記録するデータ領域に隣接した領域に、記録する情報内容を示す文字等を記録用レーザの照射により描画する技術が提案されている（特許文献１参照）
【特許文献１】特開２００５−１９６９１７号公報
【発明の開示】
【発明が解決しようとする課題】
【０００３】
しかしながら、上述した背景技術に係る各種レーベル技術によれば、簡単な線図である文字などの白黒描画は可能であるが、画素単位での位置合わせやレーベル描画における位置決め処理が格段に複雑高度化する、カラー文字やカラー画像などのカラー描画に対応することは、極めて困難或いは事実上不可能であるという技術的問題点がある。【０００４】
本発明は、例えば上述した問題点に鑑みなされたものであり、例えば高精度でカラー描画或いはカラーでレーベル描画することを可能ならしめる情報記録媒体を提供することを課題とする。
【課題を解決するための手段】
【０００５】
本発明に係る第１の情報記録媒体は上記課題を解決するために、基板と、前記基板上に積層されており、情報を記録可能な記録層と、前記基板上に積層されたカラーフィルタと、前記基板上に積層されており、光照射に伴う熱により光反射率が変化可能であると共に前記基板の一方の面側から入射する可視光を、前記カラーフィルタを介して反射する熱反射率変化層とを備える。【０００６】
本発明の第１の情報記録媒体によれば、その記録動作維持には、基板上に積層された記録層に対して、典型的には、記録用レーザ（即ち、記録に適したパワーとして予め設定されたパワーを持つレーザ）の照射などにより、光学的に情報の記録が行われる。また、その再生動作時には、このように記録された情報の再生が、典型的には、再生用レーザ（即ち、再生に適したパワーとして予め設定されたパワーを持つレーザ）の照射などにより、光学的に行われる。このような情報記録媒体は、典型的には、ＤＶＤ、ＢＤ等の光ディスクであるが、光学的に記録可能なものに限らず、電気的、電磁的など、他の物理現象を利用しての記録であってもよいし、基板の形状は、ディスク形状に限らず、例えば、カード状などであってもよい。【０００７】
本発明では特に、基板上には、カラーフィルタが積層されており、更に、熱反射率変化層が積層されている。ここに「熱反射率変化層」とは、例えばＤＶＤレコーダにおけるレーザ光照射などの、光照射に伴う熱により光反射率が変化可能である、既存の各種材料から形成される薄膜からなる。このような熱反射率変化層は、例えば基板のレーベル面側である、基板の一方の面側から入射する可視光を、カラーフィルタを介して反射する位置に積層されている。【０００８】
尚、本発明に係る「記録層」は、典型的には、基板の他方の面側（即ち、例えば一方の面の一例であるレーベル面とは反対側）に積層されている。但し、基板の一方の面側（即ち、例えばレーベル面側）に積層されていてもよい。これに対して、本発明に係る「一方の面」は、典型的には、記録可能な側の記録面と反対側に位置するレーベル面に相当する。但し、この「一方の面」は、記録可能な側の面であってもよく、即ち、レーベル面側からのみ又はレーベル面側からも、記録層に対して記録可能であってよい。言い換えれば、一方の面が記録面であってもよい。【０００９】
従って、即ち記録層に記録する情報に関する所望の情報を文字や画像として一方の面に描画する（以下適宜「レーベル描画する」と呼ぶ）際には、熱反射率変化層に対して、例えば描画用レーザ光（即ち、描画に適したパワーとして予め設定されたパワーを持つレーザ）などの光を照射することで、その光照射に伴う熱によって、光反射率が変化される。尚、描画用レーザ光は、記録用レーザ光と兼用であってもよい。ここでは、例えば、初期状態で、光反射率が高かった部分が、光照射により光反射率が低い部分にされる。或いは、例えば、初期状態で、光反射率が低かった部分が、光照射により光反射率が高い部分にされる。すると、光反射率が高い又は高くなった部分では、カラーフィルタを介して、一方の面側で熱反射率変化層により反射される可視光の量が相対的に多く、光反射率が低い又は低くなった部分では、カラーフィルタを介して、一方の面側で熱反射率変化層により反射される可視光の量が相対的に少ない状態が得られる。従って、書き込むべき文字や画像に対応して、カラーフィルタにおける、カラー画素の単位となる微小部分（以下適宜「セル」と呼ぶ）毎に変調させながら光照射を行えば、セル単位での、カラー描画が可能となる。例えば、各セル内に、ＲＧＢ（赤緑青）の３つの微小カラーエリアが存在するようにカラーフィルタを構成すれば、セルを画素単位として、光の三原色に基づく任意のカラー色を表現できる。【００１０】
尚、基板、記録層、カラーフィルタ及び熱反射率変化層の配列順序は、熱反射率変化層が、基板の一方の面側から入射する可視光を、カラーフィルタを介して反射する限りにおいて、任意であり、多数の組み合わせが存在し得る。また、それらの層の間や外側に、保護層、平坦化層等の他の層を介在させる又は形成することも任意である。【００１１】
他方で、レーベル描画する際における、光照射に係る光を照射する方向についても、典型的には、他方の面側（即ち、例えば記録層に対して記録が行われる際に、記録用レーザ光が照射されるのと同じ側）からであるが、熱反射率変化層に対して、光照射を行うことができる積層構造であれば、一方の面側（即ち、レーベル面側、或いは、例えば記録層に対して記録が行われる際に記録用レーザ光が照射されるのと反対の側）からであってもかまわない。描画用レーザを、記録用レーザと兼用にするのであれば、他方の面側から照射する方が簡単である。【００１２】
以上の結果、本発明の第１の情報記録媒体によれば、比較的簡単な処理により、レーベルをカラー描画することが可能となる。【００１３】
本発明の第１の情報記録媒体の一態様では、前記熱反射率変化層及び前記カラーフィルタは、この順に前記基板の一方の面側に積層されており、前記カラーフィルタ上に積層された保護膜を更に備える。【００１４】
この態様によれば、カラーフィルタは、熱反射率変化層及び保護膜間に挟持されているので、描画前及び描画後の夫々について、カラーフィルタの化学的耐性や物理的或いは機械的耐性は、顕著に高まる。このため、描画する際に発色性能が低下することや、色斑が発生すること、更に、描画後におけるカラーの文字や画像が、使用に伴って或いは経時劣化により消えたり又は見難くなることを、効果的に防止できる。【００１５】
本発明に係る第２の情報記録媒体は上記課題を解決するために、基板と、前記基板上に積層されており、情報を記録可能な記録層と、前記基板上に積層されたカラーフィルタと、前記基板上に積層されており、光照射に伴う熱により光透過率が変化可能である熱透過率変化層と、前記基板上に積層されており、前記基板の一方の面側から入射する可視光を、前記熱透過率変化層及び前記カラーフィルタを介して反射する反射層とを備える。【００１６】
本発明の第２の情報記録媒体によれば、その記録動作維持には、上述した第１の情報記録媒体の場合と同様に、基板上に積層された記録層に対して、光学的に情報の記録が行われ、また、その再生動作時には、このように記録された情報の再生が、光学的に行われる。【００１７】
本発明では特に、基板上には、カラーフィルタが積層されており、更に、熱透過率変化層及び反射層が積層されている。ここに「熱透過率変化層」とは、例えばＤＶＤレコーダにおけるレーザ光照射などの、光照射に伴う熱により光透過率が変化可能である、既存の各種材料から形成される薄膜からなる。更に、例えばアルミニウム等の鏡面を構築する、反射層は、例えば基板のレーベル面側である、基板の一方の面側から入射する可視光を、熱透過率変化層及びカラーフィルタを介して反射する位置に積層されている。【００１８】
尚、本発明に係る「記録層」は、典型的には、基板の他方の面側（即ち、例えば一方の面の一例であるレーベル面とは反対側）に積層されている。但し、基板の一方の面側（即ち、例えばレーベル面側）に積層されていてもよい。これに対して、本発明に係る「一方の面」は、典型的には、記録可能な側の記録面と反対側に位置するレーベル面に相当する。但し、この「一方の面」は、記録可能な側の面であってもよく、即ち、レーベル面側からのみ又はレーベル面側からも、記録層に対して記録可能であってよい。言い換えれば、一方の面が記録面であってもよい。【００１９】
従って、レーベル描画する際には、熱透過率変化層に対して、例えば描画用レーザ光などの光を照射することで、その光照射に伴う熱によって、光透過率が変化される。尚、描画用レーザ光は、記録用レーザ光と兼用であってもよい。ここでは、例えば、初期状態で、光透過率が高かった部分が、光照射により光透過率が低い部分にされる。或いは、例えば、初期状態で、光透過率が低かった部分が、光照射により光透過率が高い部分にされる。すると、光透過率が高い又は高くなった部分では、カラーフィルタを介して、一方の面側で反射層により反射される可視光の量が相対的に多く、光透過率が低い又は低くなった部分では、カラーフィルタを介して、一方の面側で反射層により反射される可視光の量が相対的に少ない状態が得られる。従って、書き込むべき文字や画像に対応して、カラーフィルタにおけるセル毎に変調させながら光照射を行えば、セル単位での、カラー描画が可能となる。【００２０】
尚、基板、記録層、カラーフィルタ、熱透過率変化層及び反射層の配列順序は、反射層が、基板の一方の面側から入射する可視光を、熱透過率変化層及びカラーフィルタを介して反射する限りにおいて、任意であり、多数の組み合わせが存在し得る。また、それらの層の間や外側に、保護層、平坦化層等の他の層を介在させる又は形成することも任意である。加えて、尚、本発明において「熱透過率変化層及びカラーフィルタを介して反射する」とは、熱透過率変化層及びカラーフィルタの順番はいずれでもよい趣旨である。【００２１】
他方で、レーベル描画する際における、光照射に係る光を照射する方向についても、典型的には、他方の面側からであるが、熱光透過率変化層に対して、光照射を行うことができる積層構造であれば、一方の面側からであってもかまわない。【００２２】
以上の結果、本発明の第２の情報記録媒体によれば、比較的簡単な処理により、レーベルをカラー描画することが可能となる。【００２３】
本発明の第２の情報記録媒体の一態様では、前記反射層、前記カラーフィルタ及び前記熱透過率変化層は、この順に前記基板の一方の面側に積層されており、前記熱透過率変化層上に積層された保護膜を更に備える。【００２４】
この態様によれば、カラーフィルタは、反射層及び保護膜間に挟持されているので、描画前及び描画後の夫々について、カラーフィルタの化学的耐性や物理的或いは機械的耐性は、顕著に高まる。このため、描画する際に発色性能が低下することや、色斑が発生すること、更に、描画後におけるカラーの文字や画像が、使用に伴って或いは経時劣化により消えたり又は見難くなることを、効果的に防止できる。【００２５】
本発明の第１又は第２の情報記録媒体の他の態様では、前記カラーフィルタは、色別に区画された複数のセルから構成されており、前記複数のセルの各々に対して、一又は複数のアドレスが割り振られている。【００２６】
この態様によれば、レーベル描画する際に、アドレスを参照することで、セル単位で正確にカラー描画可能となる。【００２７】
本発明の第１又は第２の情報記録媒体の他の態様では、前記基板は、ディスク状であり、前記基板上には、前記光照射を導くためのガイドトラックが、螺旋状又は同心円状に形成されている。【００２８】
この態様によれば、ガイドトラックにより、光照射が導かれつつ、レーベル描画が行われるので、ディスク状の基板上に形成された熱反射率変化層又は熱透過率変化層に対して、正確に光照射を行える。よって、正確にレーベル描画を行える。【００２９】
尚、基板は、このようにディスク状でなくてもよく、例えば平板状等でもよい。加えて、ガイドトラックは、螺旋状又は同心円状でなくてもよく、例えば直線状等でもあってもよい。【００３０】
上述のガイドトラックが形成されている態様では、前記カラーフィルタは、色別に区画された複数のセルから構成されており、前記複数のセルの各々に対して割り振られている一又は複数のアドレスを示すアドレスピットが、前記ガイドトラックにＣＬＶ（Ｃｏｎｓｔａｎｔ  Ｌｉｎｅａｒ  Ｖｅｌｏｃｉｔｙ）方式で形成されてもよい。【００３１】
このように構成すれば、ＣＬＶ方式であるが故に、レーベル描画時に、半径位置に応じて回転速度が異なる環境で光照射を行う場合であっても、アドレスピットを参照することで、ディスク状の基板上に形成された熱反射率変化層又は熱透過率変化層に対して、正確に光照射を行える。尚、アドレスピットは、例えば、エンボスピットとして形成される。このようにＣＬＶ方式でも正確にレーベル描画を行える。【００３２】
上述のガイドトラックが形成されている態様では、前記カラーフィルタは、前記螺旋状又は同心円状に同一色が並ぶように配列されてもよい。【００３３】
このように構成すれば、ディスク状基板を回転させながら光照射を行う場合において、回転運動に対して光照射を変調するタイミングが多少ずれたとしても、また位置合わせが180度ずれても、同一色間のずれに過ぎないので、結果として、意図された描画に非常に近い描画が得られることになる。言い換えれば、厳密なタイミング制御やカラーセルの位置あわせ等を行わなくても、比較的容易にして所望のカラー描画を行うことができ、これは実践上極めて便利である。【００３４】
上述のガイドトラックが形成されている態様では、前記カラーフィルタは、色別に区画された複数のセルから構成されており、前記複数のセルの各々に対して、一又は複数のアドレスが割り振られており、前記カラーフィルタ及び前記ガイドトラックは、前記セルの区切りと前記ガイドトラックの半径方向の位置とが一致するように、形成されてもよい。【００３５】
このように構成すれば、レーベル描画する際に、アドレスを参照することで、セル単位で正確にカラー描画可能となる。特に、セルの区切りとガイドトラックの半径方向の位置とが一致しているので、セルの区切りを跨いで光照射が誤って行われることを効果的に阻止できる。この結果、非常に正確にカラー描画可能となる。【００３６】
本発明の第１又は第２の情報記録媒体の他の態様では、前記基板は、ディスク状であり、前記基板上には、前記光照射を導くためのガイドトラックが、螺旋状又は同心円状に形成されており、前記カラーフィルタは、色別に区画された複数のセルから構成されており、前記複数のセルの各々に対して、一又は複数のアドレスが割り振られており、前記セルの区切りと前記ガイドトラックの半径方向の位置との関係を示す関係情報が前記記録層若しくは他の記録層に又は所定種類の記録方法で記録されている。【００３７】
この態様によれば、レーベル描画する際に、アドレスを参照することで、セル単位で正確にカラー描画可能となる。特に、アドレスに加えて、セルの区切りとガイドトラックの半径方向の位置との関係を示す、例えばバーコードなどで記述された関係情報を参照することで、セルの区切りを跨いで光照射が誤って行われることを効果的に阻止できる。この結果、非常に正確にカラー描画可能となる。【００３８】
尚、このような関係情報の記録は、記録層における記録と同様の方法で記録され、レーベル描画に先立って読み取られてもよいし、他の記録方法により記録され、レーベル描画に先立って読み取られてもよい。この態様は、特に、前記カラーフィルタ及び前記ガイドトラックは、前記セルの区切りの位置と前記ガイドトラックの半径方向の位置とが一致しない場合に有効である。【００３９】
この態様では、前記カラーフィルタは、直線状に配列されてもよい。
このように構成すれば、特にディスク状の基板やガイドトラックと、カラーフィルタの区切りとの関係が複雑になるものの、レーベル描画する際には、上述の如き関係情報を利用可能であるので、関係情報に基づいて、カラー描画を正確に行える。【００４０】
このようにカラーフィルタは、ガイドトラックの形状とは無関係に直線状に並んでいてもよく、その場合、例えばデルタ配列、トライング配列、ストライプ配列などの各種配列を採用可能であり、実用上便利である。【００４１】
本発明の第１又は第２の情報記録媒体の他の態様では、前記カラーフィルタは、印刷により形成されており、前記基板上には、前記光照射を導くためのガイドトラックが、前記カラーフィルタが有する連続した立体形状により構成されている。【００４２】
この態様によれば、印刷技術によって、カラーフィルタを比較的簡単に形成することができ、しかも、ガイドトラックを、該印刷技術によって形成されるカラーフィルタが有する連続した立体形状によって、比較的簡単に構成できる、実用上極めて便利である。【００４３】
尚、カラーフィルタに加えて又は代えて、ガイドトラックも、印刷により形成されてよい。【００４４】
本発明の第１又は第２の情報記録媒体の他の態様では、前記基板上には、前記光照射を導くためのガイドトラックが、前記可視光以外の光を前記可視光と比べて、より高い光反射率で反射する又はより高い光吸収率で吸収する材料を含んで構成されている。【００４５】
この態様によれば、レーベル描画する際における光照射に、可視光以外の光又は該可視光以外の光を多く含む光を用いることで、ガイドトラックにおける光反射又は光吸収によって、光照射に伴う熱を、より有効に熱反射率変化層又は熱透過率変化層に対して作用させられる。即ち、比較的エネルギロスを少なくしながら、レーベル描画を行える。しかも、可視光によって見えるレーベル描画の本来の機能が害されることもない。【００４６】
本発明の作用及び他の利得は次に説明する実施するための最良の形態から明らかにされる。【００４７】
以上詳細に説明したように、本発明の第１の情報記録媒体によれば、記録層、カラーフィルタ及び熱反射率変化層を備え、本発明の第２の情報記録媒体によれば、記録層、カラーフィルタ、熱透過率変化層及び反射層を備えるので、高精度でカラー描画することが可能となる。
【図面の簡単な説明】
【００４８】
【図１】第１実施形態に係る情報記録媒体の積層構造を示す拡大断面を記録装置の概要と共に示す図式的断面図である。
【図２】第１実施形態に係る熱反射率変化膜及びガイドトラックの積層状態を示す図式的断面図である。
【図３】第１実施形態に係るカラーフィルタの平面レイアウトを示す図式的平面図である。
【図４】第１実施形態に係るカラーフィルタ生成処理を示すフローチャートである。
【図５】第１実施形態に係るレーベル描画処理を示すフローチャートである。
【図６】第１実施形態に係るカラーフィルタの変形例における平面レイアウトを示す図式的平面図である。
【図７】第２実施形態に係る情報記録媒体の積層構造を示す拡大断面を記録装置の概要と共に示す図式的断面図である。
【図８】第３実施形態に係る情報記録媒体の構成要素の一つである熱透過率変化膜に対する、描画用レーザの光照射の様子を示す図式的断面図である。
【符号の説明】
【００４９】
１…基板
２…記録層
３…熱反射率変化膜
４…カラーフィルタ
５…保護膜
４１…反射層
４２…熱透過率変化膜
１００…記録情報媒体
【発明を実施するための最良の形態】
【００５０】
以下、本発明の実施形態について図を参照しつつ説明する。
＜第１実施形態＞
先ず、本実施形態に係る情報記録媒体について図１から図３を参照して説明する。ここに図１は、本実施形態に係る情報記録媒体の積層構造を、図２は、本実施形態に係る熱反射率変化膜及びガイドトラックの積層状態を、図３は、本実施形態に係る情報記録媒体を構成するカラーフィルタの平面レイアウトを示す。【００５１】
図１において、本実施形態に係る情報記録媒体１００は、例えば光ディスクであって、主に、基板１と、記録層２と、熱反射率変化膜３と、ガイドトラック６と、カラーフィルタ４と、保護膜５とを備えている。本実施形態に係るカラーフィルタ４は、ガイドトラック６と連続して一体に構成されている。情報記録媒体１００は、光ピックアップ７，８からのレーザ照射により、情報の記録或いは再生が行われる。特に、情報記録媒体１００は、記録用レーザの照射により、データ記録が行われ、描画用レーザの照射により、レーベル描画が行われる。尚、記録用レーザと描画用レーザとを、兼用にすることも可能である。【００５２】
基板１は、例えばディスク状に形成されており、一方の面（即ち図１で示す基板１の上面側）が、文字や画像を描画可能なレーベル面、このレーベル面と反対側の他方の面（即ち図１で示す基板１の下面側）が、情報を記録可能な側の記録面となっている。【００５３】
記録層２は、基板１のレーベル面に積層されている。記録層２は、基板１側の面に、グルーブ２ａが形成されている。データ記録は、基板１の記録面側に配置した、第２光ピックアップ８を、グルーブ２ａにトラッキングさせながら、記録データに応じたパワーのレーザ光を照射することにより、記録層２を変質させることで行われる。【００５４】
熱反射率変化膜３は、記録層２上に、後述の保護層５を介して積層されており、描画用レーザの光照射に伴う熱により、光反射率が変化される。熱反射率変化膜３は、描画用レーザのスポットに対応するその微小領域毎に、基板１のレーベル面側から照射される描画用レーザ光を、保護層５、カラーフィルタ３及びガイドトラック６を介して吸収することで、加熱される。或いは、描画用レーザ光を、保護層５、カラーフィルタ３及びガイドトラック６や基板１が吸収することで発生する熱の伝導によって、熱反射率変化膜３は、描画用レーザのスポットに対応するその微小領域毎に加熱される。これにより、熱反射率変化膜３の反射率が、描画用レーザ光の照射・未照射に応じた分布を持って変化する。この結果、熱反射率変化膜３は、光反射率が高い又は高くなった部分では、レーベル面側で反射する光量が多く、光反射率が低い又は低くなった部分では、前記光量が少なくなる。本実施形態では、描画用レーザは、赤色レーザ、赤外線レーザ、遠赤外線レーザ光などの加熱に適したレーザが用いられるが、青色レーザ等であってもよい。【００５５】
ガイドトラック６は、熱反射率変化膜３上に配置され、トラックが同心円状に形成されている。ガイドトラック６は、描画用レーザの光照射を熱反射率変化膜３に正確に導く。ガイドトラック６は、可視光以外、即ち、本実施形態では記録用レーザを反射または吸収する特性を有する。尚、ガイドトラック６は、カラーフィルタ４とは別に構成してもよい。  カラーフィルタ４は、ガイドトラック６上に配置されており、複数のカラーセルから構成されている。カラーセルの各々は、カラー画素の単位となる、ＲＧＢの３つの微小カラーエリアを備えている。また、カラーセルの各々は、１つのアドレスが割り振られている。該アドレスを示すアドレスピットは、例えば、エンボスピットとして、ガイドトラック６にＣＬＶ方式で記録されている。尚、本実施形態では、カラーフィルタ４は、カラーセルの各々に、１つのアドレスが割り振られているが、複数のアドレスが割り振られてもよい。更に、各カラーセルを構成するＲＧＢ別のカラーエリアに対して個別にアドレスが割り振られてもよい。【００５６】
図２において、情報記録媒体１００の実際の製造段階では、ガイドトラック６に対して、熱反射率変化膜３が蒸着される。従って、図２に示すように、カラーフィルタ４は、基板１側の面に、熱反射率変化膜３及びガイドトラック６が一体に構成された膜が配置されている。【００５７】
保護膜５は、カラーフィルタ４を外的損傷や水分等による腐蝕から守るためのものであり、記録層２及びカラーフィルタ４の上に積層されている。【００５８】
記録装置２００は、主に、第１光ピックアップ７と、第２光ピックアップ８と、コントローラ９と、バーコード読み取りセンサ１０と、データ処理部１１とを備えており、情報記録媒体１００に対して、データ記録及びレーベル描画を実行する。【００５９】
コントローラ９は、第１光ピックアップ７と、第２光ピックアップ８と、バーコード読み取りセンサ１０と、データ処理部１１とに接続されており、これらの各部を制御する。コントローラ９は、第２光ピックアップ８の駆動を制御して、基板１の記録面側から記録用レーザを照射することで、記録層２に対するデータ記録を行う。また、第１光ピックアップ７の駆動を制御して、基板１のレーベル面側から描画用レーザを照射することで、レーベル描画を行う。【００６０】
バーコード読み取りセンサ１０は、情報記録媒体１００に記録されるバーコード２１から、相対位置情報を読み取る。【００６１】
データ処理部１１は、バーコード読み取りセンサ１０が読み出した相対位置情報に基づいて、所定のデータ処理を行う。【００６２】
レーベル描画は、描画用レーザ光を、ガイドトラック６に対してトラッキングさせながら、描画用レーザ光のパワーを、描画する文字や画像に応じて変調させつつ熱反射率変化膜３に照射することにより、熱反射率変化膜３にその微小領域毎に光反射率変化を起こさせることで行われる。【００６３】
このようにレーベル描画した後には、この熱反射率変化層３で反射する可視光（即ち、視聴者を取り巻く外光や自然光など）が、カラーフィルタ４を介して、視聴者に向かって出射することで、レーベル描画された所望の文字や画像が見えることになる。ここで特に、レーベル描画により、基板１のレーベル面に、目視可能な文字や画像が形成されるが、これらの文字や画像は、カラーセルを画素単位として、任意のカラー色で表現される。【００６４】
カラーでレーベル描画を高精度に行うためには、描画用レーザ光を、カラーセル毎に割り振られたアドレスに基づいて正確に位置決めしつつ熱照射する必要がある。加えて、情報記録媒体１００の製造時に、カラーフィルタ４とガイドトラック６との間における相対的位置関係が正確となるように情報記録媒体１００を製造すると共に、この関係をレーベル描画時に利用できるように既知としておく必要がある。本実施形態では、この関係を既知としておくために、この関係を示す情報をバーコードで情報記録媒体１００に記録しておくか又はこの関係をガイドトラック及びアドレスから特定可能な関係としておく。【００６５】
次に、カラーフィルタ４の構造を説明すると共に、カラーフィルタ４及びガイドトラック６の位置決めについて説明する。カラーフィルタ４は、情報記録媒体１００の製造時に、ガイドトラック６に対する位置決めが行われている。【００６６】
図３において、複数のカラーセルは、同心円状に同一色のカラーエリアが並ぶように、即ち、例えばＲのカラーエリアのみで円周が形成されるように、印刷されている。このカラーセル配列を有するカラーフィルタ４は、前記アドレスに基づいて、カラーセルの各々の区切りと、ガイドトラック６の半径方向の位置とが一致するように、ガイドトラック６と組み付けられている。具体的には、情報記録媒体１００の製造工程中におけるカラーフィルタ生成段階で、ｘｙ座標において、前記区切りを示す点（Ｐ１，Ｐ２）が、ガイドトラック６の、円周が異なる同心のトラックの境目に当るように、ガイドトラック６に対してカラーフィルタ４の位置を調整することで、このような相対的位置関係に係る位置決めが行われる。この位置決めにより、カラーセルの区切りと、ガイドトラック６の半径方向の位置とが一致すれば、その後における第１光ピックアップ７によるレーザ光の照射時に、即ちレーベル描画時に（図１参照）、前記区切りを跨いで光照射が行われることを阻止でき、高精度なカラー描画が可能となる。【００６７】
上述の位置決めを行っても、カラーセルの各々の区切りと、ガイドトラック６の半径方向の位置とが一致しない場合には、又は、カラーセルの各々の区切りとガイドトラック６の半径方向の位置とが一致しないように上記の位置決めを行う場合若しくは一致させる手間を省いて上記の位置決めを行う場合には、カラーフィルタ４及びガイドトラック６の相対位置を示す相対位置情報を、例えば、レーベル面にバーコード２１として記録する。相対位置情報として、例えば、カラーフィルタ４の中心（０，０）から、同一距離にある４つの点ＰＵ，ＰＤ，ＰＬ，ＰＲの所定位置からのずれ量が、記録される。【００６８】
レーベル描画の際には、バーコード読み取りセンサ１０が、先ず、バーコード２１に記録されている相対位置情報を読み取り、データ処理部１１が、読み取られた相対位置情報に基づいて、例えば、描画する文字や画像を構成する個々の画素データに対応する描画用レーザの照射を、どのアドレス位置でどれだけのパワーで行うかを演算する。第１光ピックアップ７は、演算されたアドレス位置で、演算されたパワーの描画用レーザの光照射を行うことで、レーベル描画を行う。すると、カラーフィルタに対して、その正確な位置に描画用レーザを照射可能となる。このように、カラーフィルタ４に割り振られたアドレスに加えて、カラーセルの区切りと、ガイドトラック６の半径方向の位置とを示す相対位置情報を参照することで、色ずれが阻止され、非常に高精度なカラー描画が可能となる。【００６９】
次に、第１実施形態に係るカラーフィルタ４の生成処理について、図４を参照して説明する。
（第１実施形態に係るカラーフィルタ生成処理）
図４は、第１実施形態に係る、カラーフィルタ４の生成処理を示すフローチャートである。【００７０】
具体的には、図４において、カラーフィルタ生成装置の制御コンピュータにより、先ず、カラーセルが同心円状に同一色が並ぶように、例えばカラー色素、カラー樹脂、カラーインク等を用いたスクリーン印刷、オフセット印刷などを行う印刷機によって、印刷された後（ステップＳ１１）、カラーフィルタ４及びガイドトラック６の位置決めが行われる（ステップＳ１２）。この位置決めでは、カラーセルの区切りと、ガイドトラック６の半径方向の位置とが一致するように、ガイドトラック６に対してカラーフィルタ４の位置が調整される。この調整により、カラーセルの区切りと、ガイドトラック６の半径方向位置とが一致した場合には（ステップＳ１３：Ｙｅｓ）、動作処理が終了される。一方、前記調整を行っても、カラーセルの区切りと、ガイドトラック６の半径方向位置とが一致しない場合には又はカラーセルの各々の区切りとガイドトラック６の半径方向の位置とを敢えて一致させない場合には（ステップＳ１３：Ｎｏ）、カラーフィルタ４及びガイドトラック６の相対位置情報が出力される（ステップＳ１４）。この後、出力された相対位置情報がバーコード記録され（ステップＳ１５）、一連のカラーフィルタ生成処理が終了される。【００７１】
次に、第１実施形態に係る情報記録媒体１００を用いたレーベル描画処理について、図５を参照して説明する。
（第１実施形態に係るレーベル描画処理）
図５は、第１実施形態に係るカラーフィルタ４を備える情報記録媒体１００の、レーベル描画処理を示すフローチャートである。【００７２】
具体的には、図５において、先ず、コントローラ９にて、情報記録媒体１００のレーベル面に、相対位置情報を示すバーコード２１があるか否かが判定される（ステップＳ２１）。ここで、バーコード２１がない場合には（ステップＳ２１：Ｎｏ）、描画する画像に応じた描画用レーザ光が照射されると、熱反射率変化膜３が描画用レーザの変調に応じてセル単位で加熱又は非加熱されることで、レーベル面にカラー画像が描画される（ステップＳ２４）。【００７３】
一方、バーコード２１がある場合には（ステップＳ２１：Ｙｅｓ）、バーコード読み取りセンサ１０により、バーコード２１から相対位置情報が読み取られる（ステップＳ２２）。次に、データ処理部１１により、相対位置情報に基づいて、描画する画像がデータ処理される（ステップＳ２３）。データ処理された画像に応じた描画用レーザ光が照射されると、熱反射率変化膜３が描画用レーザの変調に応じてセル単位で加熱又は非加熱されることで、レーベル面にカラー画像が描画される（ステップＳ２４）。【００７４】
このように、第１実施形態によれば、熱反射率変化層３、カラーフィルタ４及びガイドトラック６を備え、カラーセルの各々に振り当てられたアドレスに基づいて、カラーフィルタ４に対する位置決めを正確に行った上で、描画用レーザによる光照射をカラーセル単位で行う。これにより、画素単位で正確な光照射を行って、カラー色を表現するので、高精度でカラー描画或いはカラーでレーベル描画することが可能である。【００７５】
尚、第１実施形態のカラーフィルタ４によれば、複数のカラーセルを、同心円状に同一色のカラーエリアが並ぶように印刷するが、図６に示すように、複数のカラーセルを、ガイドトラック３２の形状と関係なく、直線状に印刷してもよい。この場合にも、カラーフィルタ４及びガイドトラック６の相対位置を示す相対位置情報が、バーコード等に記録されていれば、これを参照することで、正確にカラー描画できる。
＜第２実施形態＞
次に、第２実施形態に係る情報記録媒体について図７を参照して説明する。ここに図７は、本実施形態に係る情報記録媒体の構造図であって、第１実施形態における図１と同趣旨の構造図である。尚、図７において、図１に示した構成要素と同様の構成要素に同一の参照符合を付し、それらの説明は適宜省略する。【００７６】
図７において、本実施形態に係る情報記録媒体１０１は、上述の熱反射率変化膜３の代わりに、反射層４１及び熱透過率変化膜４２を備えている点が、第１実施形態と異なる。【００７７】
図７に示すように、本実施形態に係る情報記録媒体１０１は、基板１と、記録層２と、反射層４１と、ガイドトラック６と、カラーフィルタ４と、熱反射率変化膜４２と、保護膜５とを備えている。【００７８】
反射層４１は、例えば赤外線半透過反射膜であって、記録層２上に、保護層５を介して積層されている。反射層４１は、基板１のレーベル側から入射する可視光（即ち、視聴者を取り巻く外光や自然光など）を、保護層５、熱透過率変化層４２、カラーフィルタ４及びガイドトラック６を介して反射する。【００７９】
熱透過率変化膜４２は、カラーフィルタ４上に積層されており、描画用レーザの光照射に伴う熱により、描画用レーザのスポットに対応するその微小領域毎に、光透過率が変化させられる。これにより、熱透過率変化膜４２の透過率が、描画用レーザ光の照射・未照射に応じた分布を持って変化する。この結果、熱透過率変化膜４２は、光透過率が高い又は高くなった部分では、レーベル面側で反射層４１により反射する光量が多く、光透過率が低い又は低くなった部分では、前記光量が少なくなる。【００８０】
ガイドトラック６及びカラーフィルタ４は、反射層４１と熱透過率変化膜４２との間に配置されている。【００８１】
レーベル描画は、描画用レーザ光を、ガイドトラック６に対してトラッキングさせながら、描画用レーザ光のパワーを、描画する文字や画像に応じて変調させつつ熱透過率変化膜４２に照射することにより、熱透過率変化膜４２に光透過率変化を起こさせることで行われる。【００８２】
このようにレーベル描画した後には、可視光（即ち、視聴者を取り巻く外光や自然光など）が、熱透過率変化層４２、カラーフィルタ４及びガイドトラック６を介して反射層４１により反射して視聴者に向かって出射することで、レーベル描画された所望の文字や画像が見えることになる。ここで特に、レーベル描画により、基板１のレーベル面に、目視可能な文字や画像が形成されるが、これらの文字や画像は、カラーセルを画素単位として、任意のカラー色で表現される。【００８３】
次に、第２実施形態に係る情報記録媒体１０１を用いたレーベル描画処理について、図５を参照して説明する。
（第２実施形態に係るレーベル描画処理）
図５は、第２実施形態に係る、情報記録媒体１０１のレーベル描画処理を示すフローチャートでもある。【００８４】
具体的には、図５において、第１実施形態と同様に、先ず、コントローラ９にて、情報記録媒体１０１のレーベル面に、相対位置情報を示すバーコード２１があるか否かが判定される（ステップＳ２１）。ここで、バーコード２１がない場合には（ステップＳ２１：Ｎｏ）、描画する画像に応じた描画用レーザ光が照射されると、熱透過率変化膜４２が描画用レーザの変調に応じてセル単位で加熱又は非加熱されることで、レーベル面にカラー画像が描画される（ステップＳ２４）。【００８５】
一方、バーコード２１がある場合には（ステップＳ２１：Ｙｅｓ）、バーコード読み取りセンサ１０により、バーコード２１から相対位置情報が読み取られる（ステップＳ２２）。次に、データ処理部１１により、相対位置情報に基づいて、描画する画像がデータ処理される（ステップＳ２３）。データ処理された画像に応じた描画用レーザ光が照射されると、熱透過率変化膜４２が描画用レーザの変調に応じてセル単位で加熱又は非加熱されることで、レーベル面にカラー画像が描画される（ステップＳ２４）。【００８６】
このように、第２実施形態によれば、反射層４１、熱透過率変化膜４２、カラーフィルタ４及びガイドトラック６を備え、カラーセルの各々に振り当てられたアドレスに基づいて、カラーフィルタ４に対する位置決めを正確に行った上で、描画用レーザによる光照射をカラーセル単位で行う。これにより、画素単位で正確な光照射を行って、カラー色を表現するので、高精度でカラー描画或いはカラーでレーベル描画することが可能である。
＜第３実施形態＞
次に、第３実施形態に係る情報記録媒体について図８を参照して説明する。ここに図８は、本実施形態に係る情報記録媒体の構造図であって、第２実施形態における図７と同一の構造図である。尚、図８において、図７に示した構成要素と同様の構成要素に同一の参照符合を付し、それらの説明は適宜省略する。【００８７】
図８において、本実施形態に係る情報記録媒体１０１は、上述の熱透過率変化膜４２に対して、描画用レーザの光照射を、基板１の記録面側から行う点が、第２実施形態と異なる。【００８８】
第１光ピックアップ７は、基板１の記録面側に配置されている。第１光ピックアップ７は、熱透過率変化膜４２に対して、該記録面側から、描画する文字や画像に応じて変調させた描画用レーザを照射する。これにより、熱透過率変化膜４２の透過率が、描画用レーザ光の照射・未照射に応じた分布を持って変化する。【００８９】
次に、第３実施形態に係る情報記録媒体１０１を用いたレーベル描画処理について、図５を参照して説明する。
（第３実施形態に係るレーベル描画処理）
図５は、第３実施形態に係る、情報記録媒体１０１のレーベル描画処理を示すフローチャートでもある。【００９０】
具体的には、図５において、第１及び第２の実施形態と同様に、先ず、コントローラ９にて、情報記録媒体１０１のレーベル面に、相対位置情報を示すバーコード２１があるか否かが判定され（ステップＳ２１）、バーコード２１がない場合には（ステップＳ２１：Ｎｏ）、描画する画像に応じた描画用レーザ光が、記録面側から、基板１、記録層２、反射層４１、ガイドトラック６、カラーフィルタ４を介して、熱透過率変化膜４２に照射されると、熱透過率変化膜４２が描画用レーザの変調に応じてセル単位で加熱又は非加熱されることで、レーベル面にカラー画像が描画される（ステップＳ２４）。一方、バーコード２１がある場合には（ステップＳ２１：Ｙｅｓ）、バーコード読み取りセンサ１０により、バーコード２１から相対位置情報が読み取られ（ステップＳ２２）、続いて、データ処理部１１により、相対位置情報に基づいて、描画する画像がデータ処理される（ステップＳ２３）。データ処理された画像に応じた描画用レーザ光が、記録面側から、基板１、記録層２、反射層４１、ガイドトラック６、カラーフィルタ４を介して、熱透過率変化膜４２に照射されると、熱透過率変化膜４２が描画用レーザの変調に応じてセル単位で加熱又は非加熱されることで、レーベル面にカラー画像が描画される（ステップＳ２４）。【００９１】
このように、第３実施形態によれば、レーベル面及び記録面のいずれ側からの光照射に関わらず、カラーセルの各々に振り当てられたアドレスに基づいて、カラーフィルタ４に対する位置決めを正確に行った上で、描画用レーザの光照射をカラーセル単位で行う。これにより、画素単位で正確な光照射を行って、カラー色を表現するので、高精度でカラー描画或いはカラーでレーベル描画することが可能である。特に、情報記録用レーザとレーベル描画用レーザとを、記録装置にて兼用にする場合には、記録面側からレーベル描画用レーザを照射する場合の方が、記録装置における装置構成や制御、描画のための操作等が簡単となる観点からは、有利である。【００９２】
尚、反射層４１は、描画用レーザ光のみを透過させる波長選択透過膜を備えていることが望ましい。これにより、記録面側からの描画がレーベル面のみから視認可能となる。【００９３】
尚、第１実施形態の情報記録媒体１００においても、上述した第３実施形態に係る第１光ピックアップにおける態様と同様の態様を、適宜採ることが可能である。【００９４】
本発明は、上述した実施形態に限られるものではなく、請求の範囲及び明細書全体から読み取れる発明の要旨或いは思想に反しない範囲で適宜変更可能である。
【産業上の利用可能性】
【００９５】
本発明は、例えば、光照射によって表面にレーベルを描画可能なＤＶＤ、ＢＤ等の光ディスクなどの、情報記録媒体、或いはこのような情報記録媒体に対して、カラー描画或いはカラーでレーベル描画する、カラー描画システム等に利用することが可能である。
【図１】
2008120324.tif 000003
【図２】
2008120324.tif 000004
【図３】
2008120324.tif 000005
【図４】
2008120324.tif 000006
【図５】
2008120324.tif 000007
【図６】
2008120324.tif 000008
【図７】
2008120324.tif 000009
【図８】
2008120324.tif 000010
【国際調査報告】
2008120324.tif 000011
2008120324.tif 000012
2008120324.tif 000013
2008120324.tif 000014